(57)【特許請求の範囲】
【請求項１】
溝形鋼が用いられサッシ枠が取り付けられる開口部周縁に設けられた下地部材と前記サッシ枠の見込み部との間に配置されて前記下地部材に係合固定される基部と、
前記基部から延設され、前記見込み部の前記下地部材よりも屋内側に対して配置される枠支持部材と、
前記基部から延設された脚板から該脚板の幅方向に対で突接され、前記基部が係合固定される際、弾性変形されて前記下地部材の一対のフランジの間に挿入配置されることで、前記一対のフランジを互いに離間する方向へ押圧する押圧部と、
を備えたサッシ取付ブラケット。
【請求項２】
前記押圧部は、前記一対のフランジの各々に向けて突設された係合爪部の先端が前記フランジの各々に内面に当接される請求項１に記載のサッシ取付ブラケット。
【請求項３】
前記基部には、各々に前記押圧部が対で設けられた前記脚板が、前記下地部材の長手方向に対で設けられている請求項１又は請求項２に記載のサッシ取付ブラケット。
【請求項４】
サッシ枠が取り付けられる開口部周縁に設けられた下地部材と前記サッシ枠の見込み部との間に配置されて前記下地部材に係合固定される基部と、
前記基部から延設され、前記見込み部の前記下地部材よりも屋内側に対して配置される枠支持部材と、
前記枠支持部材から突設されて、前記基部が係合固定される前記下地部材の屋内側の面に当接可能とされ、前記枠支持部材が前記見込み部から離れる方向への変位を制限する制限部と、
を備えたサッシ取付ブラケット。
【発明の詳細な説明】
【技術分野】
【０００１】
本発明は、サッシ取付ブラケットに関する。
【背景技術】
【０００２】
建物は、窓などの開口部にサッシが取り付けられている。特許文献１では、サッシユニットの所定位置に複数個の固定金具が固定されており、サッシユニットが開口フレームの開口内に配置されて固定金具を介して開口フレームに固定されている。
【０００３】
特許文献２のサッシの取付構造では、補助枠が中空形材を矩形に連結されて形成されており、補助枠がサッシ枠の外周の取付縁の屋外側の面に当接されている。また、サッシ枠には、補助枠及び取付縁の屋内側に設けられた取付金具がビスにより固着されており、取付金具が建物の開口部に設けられたサッシ枠固定部材に固定されることで、サッシ枠が開口部に固定されている。
【０００４】
特許文献３では、サッシ枠にサッシ締結用金具の支持部材が配設されており、支持部材にサッシ枠固定部材に圧接される可撓片が支持されている。サッシ枠は、サッシ枠固定部材との間の間隙がサッシ締結用金具により埋められて、サッシ枠からサッシ枠固定部材が貫通されて、サッシ枠固定部材に固定されている。
【０００５】
一方、特許文献４では、枠体取付け用金具の弾性変形を利用して、下地フレームの溝型鋼の溝内に枠体取付け用金具を嵌め込んで脱落不能として、この枠体取付け金具にサッシの枠体を取付けることで、サッシの枠体を下地フレームに固定している。
【先行技術文献】
【特許文献】
【０００６】
【特許文献１】特開２００１−９０２２７号公報
【特許文献２】特開２００６−７０６０６号公報
【特許文献３】特開２００６−９７４３６号公報
【特許文献４】特開２００２−１６１６６９号公報
【発明の概要】
【発明が解決しようとする課題】
【０００７】
ところで、建物には、断熱性や遮音性などにおいて性能の高いサッシ（高性能なサッシ）が多用されつつある。高性能なサッシは、通常のサッシに比較して奥行き（見込み）が広くなっており、高性能なサッシのサッシ枠を通常のサッシのサッシ枠と同様に下地部材に固定しようとすると、サッシ枠が下地部材よりも屋内側にはみ出してしまう。サッシ枠は、屋外側及び屋内側の両側が下地部材に固定されることが好ましいが、奥行きが広いサッシ枠では、下地部材への固定位置が屋外側に寄ってしまう。
【０００８】
本発明は、上記事実を鑑みて成されたものであり、サッシ枠を下地部材に適切に固定できるサッシ取付ブラケットを提供することを目的とする。
【課題を解決するための手段】
【０００９】
上記目的を達成するための第１の態様は、サッシ枠が取り付けられる開口部周縁に設けられた下地部材と前記サッシ枠の見込み部との間に配置されて前記下地部材に係合固定される基部と、前記基部から延設され、前記見込み部の前記下地部材よりも屋内側に対して配置される枠支持部材と、を備えている。
【００１０】
サッシ枠は、屋外側周縁の見付け部から屋内側に見込み部が延設されている。下地部材は、サッシ枠が取り付けられる開口部周縁に配置されており、サッシ枠は、見付け部が下地部材の屋外側と対向されると共に、見込み部が下地部材の開口部内方側の面と対向されて下地部材に固定される。断熱性や遮音性の高い高性能なサッシにおいては、サッシ枠の見込み部に対向される下地部材の幅よりも見込み部の幅（奥行き）が大きいと、見込み部が下地部材の屋内側にはみ出してしまう。
【００１１】
第１の態様によれば、下地部材とサッシ枠の見込み部との間に配置されて、下地部材に係合固定される。また、枠支持部材は、基部から屋内側に延設されて、下地部材の屋内側にはみ出した見込み部と対向される。
【００１２】
このため、下地部材から屋内側にはみ出した見込み部を枠支持部材に固定可能となり、見込み部の屋内側を枠支持部材に固定することで、下地部材よりも屋内側にはみ出した見込み部を下地部材に固定できる。これにより、見込み部の幅が下地部材の幅よりも大きくても、下地部材への固定位置が屋外側に偏ることなく、サッシ枠を下地部材に適切に固定できる。
【００１３】
第２の態様は、第１の態様において、前記下地部材は溝形鋼とされ、前記基部が前記溝形鋼に嵌合可能なコ字状に形成されており、前記枠支持部材が前記基部の中間部から延設されている。
【００１４】
第２の態様によれば、基部が下地部材としての溝形鋼に嵌合可能なコ字状とされており、コ字状の中間部から枠支持部材が屋内側に延設されている。これにより、プレス加工等により容易に形成できると共に、下地部材への取り付けが容易となる。
【００１５】
第３の態様は、第１の態様において、前記下地部材は溝形鋼とされ、前記基部が当該溝形鋼のフランジを挟持する挟持部を備えている。
【００１６】
第３の態様によれば、下地部材としての溝形鋼のフランジを挟持する挟持部を備えており、挟持部から枠支持部材が延設されている。これにより、溝形鋼のフランジを挟持部に嵌め込んでことで固定できるので、溝形鋼へ基部を固定する作業が容易となる。
【００１７】
第４の態様は、第１の態様から第３の態様の何れかにおいて、前記枠支持部材から突設されて、前記基部が係合固定される前記下地部材の屋内側の面に当接可能とされ、前記枠支持部材が前記見込み部から離れる方向への変位を制限する制限部を備えている。
【００１８】
第４の態様によれば、下地部材の屋内側の面に当接可能とされた制限部が枠支持部材に設けられている。制限部は、見込み部を枠支持部材に固定する際に、枠支持部材が弾性変形してサッシ枠の見込み部から離れる方向へ移動されると下地部材に当接して、枠支持部材の移動を制限する。これにより、見込み部が枠支持部材に固定される際、枠支持部材が弾性変形してしまうのを制限部により制限できる。
【発明の効果】
【００１９】
第１の態様によれば、下地部材に対してサッシ枠の見込み部の幅が広くとも、サッシ枠を下地部材に適切に固定できる、という効果を有する。
【００２０】
第２の態様によれば、加工が容易であると共に、下地部材への固定が容易となる、という効果を有する。また、第３の態様によれば、下地部材への固定が容易となる、という効果を有する。
【００２１】
第４の態様によれば、見込み部を枠支持部材に固定する際に、枠支持部材が見込み部から離れる方向に変位するのを制限できるので、見込み部を枠支持部材に適切に固定できる、という効果を有する。
【図面の簡単な説明】
【００２２】
【図１】第１の実施の形態に係る外壁部の主要部の断面図である。
【図２】第１の実施の形態に係る取付金具を示す斜視図である。
【図３】取付金具の他の一例を示す斜視図である。
【図４】（Ａ）は第２の実施の形態に係る取付金具を示す斜視図であり、（Ｂ）は第２の実施の形態に係る外壁部の主要部の断面図である。
【発明を実施するための形態】
【００２３】
以下、図面を参照して本発明の実施の形態を詳細に説明する。
〔第１の実施の形態〕
図１には、第１の実施の形態に係る建物１０における外壁部１２の主要部が上方視の断面図にて示されている。建物１０は、ユニット住宅が適用されており、図示しない躯体の周囲が外壁部１２によって囲われている。また、建物１０には、外壁部１２に複数の開口部１４が形成されており、建物１０は、開口部１４にサッシ戸及びサッシ窓などのサッシ１６が取り付けられて出入口や窓などが形成される。なお、以下では、サッシ１６の幅方向の一側（屋外側から見て左側）を例に、建物１０の開口部１４へのサッシ１６の取り付けを説明する。図１には、開口部１４を屋外側から見て左側部分が示されている。
【００２４】
外壁部１２には、屋外側に外壁材としての外壁パネル１８が配置されると共に、屋内側に内装材としての内装パネル２０が配置されており、外壁パネル１８及び内装パネル２０が直接又は他の部材を介して図示しない躯体に取り付けられている。また、建物１０は、外壁パネル１８と内装パネル２０との間の空間に断熱部材（図示省略）が配設される。
【００２５】
外壁部１２の開口部１４の周縁には、外壁フレーム２２及び内装フレーム２４が形成さえている。外壁フレーム２２には、溝型鋼（所謂チャンネル）の骨材２６が用いられており、骨材２６が開口部１４を囲う矩形枠状に組まれている。骨材２６は、ウエブが矩形枠の内方側に向けられて縦横に配置されて連結されており、開口部１４の幅方向の両側の骨材２６は、上下方向に延設された先端部が図示しない躯体に連結されて固定される。骨材２６には、外壁パネル１８の開口部１４側の端部が接合固定されている。
【００２６】
内装フレーム２４は、外壁フレーム２２の屋内側に配置されており、木材などが用いられた枠部材２８が開口部１４の周縁を囲う矩形枠状に組まれている。枠部材２８には、内装パネル２０の開口部１４側の端部がネジ等により接合固定されている。また、内装フレーム２４の開口内側には、縁枠部３０が設けられている。縁枠部３０は、縁枠３０Ａが矩形形状に組まれており、縁枠３０Ａに内装パネル２０の開口枠端面が当接されている。これにより、縁枠部３０は、屋内側から見て開口部１４を囲う額縁状にされている。
【００２７】
開口部１４の周縁部には、下地部材により形成される下地フレーム３２が設けられており、下地フレーム３２がサッシの取り付けに用いられる。下地フレーム３２には、下地部材としての下地材３４が設けられており、下地材３４は、所定の幅寸法Ｃの溝型鋼とされている。下地材３４は、フランジ３４Ａが外壁フレーム２２の骨材２６とは反対側へ向けられると共に、ウエブ３４Ｂが骨材２６のウエブに重ね合わせられており、下地材３４は、ウエブ３４Ｂ及び骨材２６のウエブを貫通されたボルト３４Ｃにナット３４Ｄが螺合されて骨材２６に締結されている。これにより、下地フレーム３２は、下地材３４が開口部１４を囲うように配置されて外壁フレーム２２に固定されている。
【００２８】
一方、サッシ１６には、アルミニウムなどの金属製とされた矩形枠状のサッシ枠３６が設けられており、サッシ枠３６が下地材３４に取り付けられる。また、サッシ枠３６内は、障子としてのガラス（窓ガラス）戸３８（図１では、１枚を図示）が移動可能に配置されており、サッシ１６（サッシ窓）は、ガラス戸３８が移動されること開閉される。
【００２９】
サッシ枠３６には、略帯板状とされた見込み部としての縦枠４０が幅方向の両側に設けられており、縦枠４０は、長手方向が上下方向とされると共に、幅方向がサッシ枠３６の奥行き方向とされている。サッシ枠３６は、縦枠４０の下部が下枠４２により連結されていると共に、縦枠４０の上部が図示しない上枠により連結されている。なお、サッシ枠３６は、縦枠４０、下枠４２及び図示しない上枠により見込み部が形成される。
【００３０】
サッシ枠３６は、縦枠４０の幅寸法が奥行き寸法（見込み、以下、奥行きＤとする）とされており、サッシ１６は、サッシ枠３６の奥行きＤが、サッシ枠３６に取り付けられるガラス戸３８の枚数、ガラス戸３８に設けられるガラスの枚数などにより定まる。サッシ１６は、ガラス戸３８がシングルガラスであるよりも二重ガラス（ペアガラス）の方が高性能（断熱性、遮音性などが高い）とされており、ガラス戸３８が二重ガラスよりも三重ガラス（トリプルガラス）の方がさらに高性能とされている。また、サッシ１６のサッシ枠３６は、ガラス戸３８がシングルガラスであるよりもペアガラスの方の奥行きＤが大きく、ガラス戸３８がペアガラスであるよりもトリプルガラスの方の奥行きＤがさらに大きくなっている。
【００３１】
建物１０の下地フレーム３２は、下地材３４の幅寸法Ｃが、一般的なシングルガラスのサッシ枠の奥行きに合わせられている。これに対して、第１の実施の形態では、サッシ１６のガラス戸３８がペアガラスとされており、縦枠４０の奥行きＤが下地材３４の幅寸法Ｃよりも大きくされている。
【００３２】
縦枠４０の屋外側の端部には、外縁部４４が一体に設けられており、外縁部４４は見付け部に対応されている。外縁部４４は、縦枠４０の屋外側端部からサッシ枠３６の幅方向外方へ向けて延設され、延設先端が屋外側に向けられている。外縁部４４の屋内側の面には、フィン４４Ａが一対突設されている。また、外縁部４４の屋外側には、見付け部とされる外面カバー４４Ｂが配置され、縦枠４０の屋外側の先端と外縁部４４の延設先端との間に外面カバー４４Ｂが嵌め込まれる。
【００３３】
また、縦枠４０の屋内側の端部には、略板状の内縁部４６が一体に設けられている。内縁部４６は、縦枠４０の屋内側端部からサッシ枠３６の開口幅方向内側に延設されており、延設先端に回り縁４６Ａが一体に形成されている。回り縁４６Ａは、内縁部４６から屋内側に延設されており、サッシ枠３６は、屋内側開口の全周にわたって回り縁４６Ａが延在されている。
【００３４】
サッシ枠３６は、縦枠４０が下地フレーム３２の下地材３４に対向されて開口部１４に配置される。これにより、サッシ枠３６は、外縁部４４が下地材３４の屋外側のフランジ３４Ａに対向されて、フィン４４Ａがフランジ３４Ａに当接される。また、サッシ枠３６は、内縁部４６及び回り縁４６Ａが、縁枠部３０の縁枠３０Ａに当接される。さらに、サッシ枠３６の縦枠４０には、下地フレーム３２の下地材３４が対向される。また、縦枠４０は、外縁部４４が下地材３４の屋外側の面に当接されていることで、内縁部４６側が下地材３４よりも屋内側へ突出される。
【００３５】
一方、サッシ枠３６の縦枠４０と下地材３４との間には、サッシ取付ブラケットとしての取付金具４８が設けられており、取付金具４８は、複数が下地材３４の上下方向に配置される。図２には、第１の実施の形態に係る取付金具４８が斜視図にて示されている。取付金具４８には、断面コ字状とされた基部５０及び、枠支持部材としての矩形平板状の支持板５２が設けられている。
【００３６】
基部５０には、コ字状の中間部が矩形平板状の基体５０Ａとされており、基体５０Ａの一方向の両端部から脚板５４が対で形成されている。取付金具４８は、基体５０Ａに面一とされて支持板５２が延設されている。取付金具４８は、基体５０Ａと支持板５２とを合わせた長さＬがサッシ枠３６の奥行きＤに応じて長さとされている。
【００３７】
脚板５４は、幅寸法が下地材３４の一対のフランジ３４Ａの内法よりも短くされている。また、一対の脚板５４には、先端部が互いに離間する方向へ曲げられて足板部５６が形成されている。足板部５６には、脚板５４の幅方向の両端部に係合爪部５８が対で設けられている。係合爪部５８は、足板部５６の端部を足板部５６に対して鋭角となるように脚板５４側（支持板５２側）に曲げられて形成されている。
【００３８】
基部５０は、係合爪部５８の部分を除く長さである足板部５６の長さが、下地材３４の一対のフランジ３４Ａの内法よりも短くされていると共に、一対の係合爪部５８の先端間の距離が下地材３４の一対のフランジ３４Ａの内法よりも長くされている。
【００３９】
また、支持板５２には、脚板５４とは反対側の面に面粗し部６０が設けられている。面粗し部６０は、断面三角形状とされて溝方向が支持板５２の幅方向とされた細溝６０Ａが、支持板５２の長手方向に複数形成されている。なお、面粗し部６０は、これに限らず、支持板５２の表面の滑りを抑制する形状であれば良く、エンボス状などとされても良い。
【００４０】
図１に示されるように、取付金具４８は、基部５０に対して支持板５２側が屋内側とされて、基部５０の一対の脚板５４が下地材３４の一対のフランジ３４Ａの間に嵌め込まれる。この際、基部５０は、足板部５６に対で設けられた係合爪部５８を互いの先端が接近する方向へ弾性変形されてフランジ３４Ａの間に挿入される。
【００４１】
これにより、一対の脚板５４の足板部５６が下地材３４のウエブ３４Ｂに当接されると共に、係合爪部５８が弾性力によりフランジ３４Ａの内面を押圧して係合し、取付金具４８が下地材３４に係合固定される。また、取付金具４８は、下地材３４から屋内側に支持板５２が突出され、下地材３４から屋内側にはみ出した縦枠４０に支持板５２が対向される。
【００４２】
次に第１の実施の形態の作用として、サッシ１６のサッシ枠３６の取り付けを説明する。サッシ枠３６は、開口部１４内に配置されることで、外縁部４４のフィン４４Ａが下地材３４の屋外側のフランジ３４Ａに当接されると共に、内縁部４６及び回り縁４６Ａが、縁枠部３０の縁枠３０Ａに当接される。
【００４３】
ここで、サッシ枠３６は、外縁部４４から一対のフィン４４Ａの間を通して下地材３４のフランジ３４Ａにネジ６２Ａを螺合することで、外縁部４４が下地材３４のフランジ３４Ａに固定される。また、サッシ枠３６は、回り縁４６Ａから縁枠部３０の縁枠３０Ａにネジ６２Ｂを螺合することで、内縁部４６が縁枠部３０に係止される。なお、外縁部４４は、縦枠４０の屋外側の先端と外縁部４４の延設先端との間に外面カバー４４Ｂが嵌め込まれることで、ネジ６２Ａが外面カバー４４Ｂにより覆われる。また、サッシ枠３６は、外縁部４４のフィン４４Ａの間に止水部材６４Ａが充填されると共に、外縁部４４の延設先端と外壁パネル１８の端面との間に止水部材６４Ｂが充填されて止水処理される。
【００４４】
一方、サッシ枠３６は、奥行きＤが下地材３４の幅寸法Ｃよりも大きくされており、サッシ枠３６は、縦枠４０が下地材３４よりも屋内側にはみ出す。このために、サッシ枠３６は、縦枠４０の屋内側を下地材３４に固定することが困難となっている。
【００４５】
ここで、サッシ枠３６が取り付けられる下地フレーム３２の下地材３４には、複数の取付金具４８が配置される。取付金具４８は、基部５０の脚板５４が下地材３４のフランジ３４Ａの間に嵌合されて下地材３４に係合固定（嵌合固定）されている。また、取付金具４８は、下地材３４に固定された基部５０から屋内側へ向けて支持板５２が突出される。
【００４６】
これにより、開口部１４に配置したサッシ枠３６の縦枠４０には、屋内側の端部の複数個所において取付金具４８の支持板５２が対向される。縦枠４０は、屋内側において取付金具４８の支持板５２へ向けて固定ネジ６６が螺合されることで、縦枠４０の屋内側が支持板５２に締結固定される。
【００４７】
これにより、サッシ枠３６は、屋外側において外縁部４４が下地材３４のフランジ３４Ａに固定されると共に、屋内側において縦枠４０が取付金具４８の支持板５２を介して下地材３４に固定される。従って、サッシ枠３６は、下地材３４への固定位置が屋外側に偏ることなく、屋外側及び屋内側の各々において下地フレーム３２に適切に固定される。しかも、固定ネジ６６が螺合される支持板５２には、面粗し部６０が設けられていることで、固定ネジ６６が支持板５２に螺合される際、固定ネジ６６の先端が滑るのを抑制されている。
【００４８】
また、取付金具４８は、基部５０に形成された一対の脚板５４を下地材３４のフランジ３４Ａの間へ押し込むことで、下地材３４に係合固定されるので、取付金具４８は、下地材３４への取り付けが容易となっている。また、取付金具４８は、コ字状の基部５０から支持板５２を延設された形状となっているので、プレス加工等により容易に形成できる。
【００４９】
なお、第１の実施の形態では、取付金具４８を例に説明したが、サッシ取付ブラケットの構成は、これに限るものではない。図３には、サッシ取付ブラケットの他の一例とする取付金具７０が斜視図にて示されている。
【００５０】
取付金具７０には、枠支持部材としての矩形平板状の支持板７２が設けられている。支持板７２には、長手方向又は縦方向の一端部に基部及び挟持部としての挟持部７４が設けられている。挟持部７４は、略矩形平板状とされた係合板７６、７８が対で突設されている。
【００５１】
係合板７６、７８の互いに対向する面の間隔は、取付金具７０が固定される下地材３４のフランジ３４Ａの厚みよりも僅かに大きくされており、係合板７６、７８の間には、下地材３４のフランジ３４Ａが挿入可能とされている。また、係合板７６、７８の一方（ここでは、支持板７２とは反対側の係合板７６）は、突出方向の中間部において係合板７８へ向けて曲げられた押圧部７６Ａが形成されており、係合板７６、７８の互いに対向する面の間隔は、押圧部７６Ａ部分において下地材３４のフランジ３４Ａの厚さよりも狭められている。
【００５２】
取付金具７０は、一対の係合板７６、７８が弾性変形されて、係合板７６、７８の間に下地材３４の屋内側のフランジ３４Ａが挿入される。これにより、係合板７６が弾性変形されて押圧部７６Ａがフランジ３４Ａを押圧して、挟持部７４が下地材３４の屋内側のフランジ３４Ａを挟持して、取付金具７０が下地材３４に係合固定される。このように、取付金具７０は、係合板７６、７８に下地材３４のフランジ３４Ａを挿入することで、簡単に下地材３４に係合固定できる。
【００５３】
また、取付金具７０は、支持板７２が下地材３４の屋内側へ向けて突設され、サッシ枠３６の縦枠４０の屋内側部分に対向される。この取付金具７０の支持板７２にサッシ枠３６の縦枠４０の屋内側が固定ネジ６６により締結されることで、サッシ枠３６は、縦枠４０の屋内側が取付金具７０を介して下地材３４に固定される。これにより、取付金具７０を用いた場合でも、下地材３４の屋内側にはみ出したサッシ枠３６の縦枠４０を、適切に下地材３４に固定できる。
【００５４】
〔第２の実施の形態〕
次に本発明の第２の実施の形態を説明する。なお、第２の実施の形態において第１の実施の形態と同様の機能部品については。第１の実施の形態と同様の符号を付与して詳細な説明を省略する。
【００５５】
第２の実施の形態では、第１の実施の形態の取付金具４８に代えて、サッシ取付ブラケットとしての取付金具８０を用いている。図４（Ａ）には、取付金具８０が斜視図にて示されており、図４（Ｂ）には、取付金具８０が設けられる外壁部１２の主要部が上方視の断面図にて示されている。
【００５６】
取付金具８０には、枠支持部材としての支持板５２に替えて支持板８２が設けられており、支持板８２が基部５０の基体５０Ａから延設されている。また、取付金具８０の支持板８２には、制限部としての制限板８４が対で設けられており、制限板８４は、支持板８２の脚板５４側の面において、脚板５４よりも屋内側となる部分に設けられている。制限板８４は、支持板８２の幅方向の両端部から突設されており、脚板５４側の角部が略直角とされた略三角形平板状とされている。
【００５７】
制限板８４と脚板５４との間には、脚板５４を下地材３４のフランジ３４Ａに嵌合させたときに、屋内側のフランジ３４Ａが挿入される。この際、制限板８４は、脚板５４側の端面８４Ａが、下地材３４のフランジ３４Ａに当接可能に対向される。
【００５８】
図４（Ｂ）に示されるように、取付金具８０は、脚板５４が下地材３４のフランジ３４Ａの間に嵌合されて下地材３４に固定される。取付金具８０の制限板８４は、下地材３４の屋内側に配置されて、端面８４Ａが下地材３４のフランジ３４Ａの屋外側の面と対向される。
【００５９】
取付金具８０の支持板８２は、サッシ枠３６の縦枠４０から固定ネジ６６が螺合される際、固定ネジ６６の先端により下地材３４の屋内側のフランジ３４Ａの先端を支点として支持板８２から離れる方向へ変位（弾性変形による変位）する方向に押圧される。
【００６０】
ここで、取付金具８０では、支持板８２の屋内側が固定ネジ６６により押圧されて支持板８２が弾性変形しようとする、制限板８４の端面８４Ａが下地材３４のフランジ３４Ａに当接される。これにより、制限板８４が支持板８２の弾性変形による変位を制限する。従って、取付金具８０では、支持板８２の弾性変形による変位が制限されるので、固定ネジ６６が支持板８２に対して傾いて螺合されることがない。しかも、取付金具８０は、脚板５４と制限板８４との間で下地材３４のフランジ３４Ａを挟んでいるので、サッシ枠３６の縦枠４０を下地材３４に安定させた状態で固定できる。
【００６１】
また、支持板８２側が押圧されることで、基部５０が浮き上がるように取付金具８０が変位してしまうことが考えられる。この場合も、支持板８２の制限板８４の端面８４Ａが下地材３４のフランジ３４Ａに当接することで、取付金具８０は、基部５０が下地材３４から浮き上がるように変位するのが制限される。
【００６２】
なお、第２の実施の形態では、取付金具４８に制限部としての制限板８４を設けた取付金具８０を例に説明したが、制限部は、取付金具７０に設けた構成であっても良い。この場合、挟持部７４が下地材３４の屋外側のフランジ３４Ａを挟持する構成として、支持板７２が下地材３４の屋内側のフランジ３４Ａから屋内側に突出されるようにする。制限板８４は、下地材３４から屋内側に突出された部分の支持板７２に設ければ良い。これにより、取付金具７０においても、縦枠４０を固定するための固定ネジ６６により支持板７２が弾性変形などにより変位するのを制限できる。
【００６３】
また、制限部として略三角形平板状の制限板８４を例に説明したが、制限部は、これに限るものではない。制限部は、下地材３４のフランジ３４Ａの屋内側の面に当接可能な形状の突部が設けられた任意の形状を適用できる。
【００６４】
また、以上説明した第１及び第２の実施の形態では、下地フレーム３２の下地材３４として溝型鋼を用いたが、下地部材は、溝型鋼に限らず、山型鋼（Ｌ型鋼）、Ｈ型鋼、リップ溝型鋼などの任意の形状の鋼材を適用することができ、適用する鋼材の形状に応じて基部が形成されれば良い。また、下地部材は、鋼材に限らず、木材等の他の部材であっても良い。
【符号の説明】
【００６５】
１０    建物
１２    外壁部
１４    開口部
１６    サッシ
３２    下地フレーム
３４    下地材（下地部材）
３４Ａ    フランジ
３６    サッシ枠
３８    ガラス戸
４０    縦枠（見込み部）
４４    外縁部
４８、７０、８０    取付金具（サッシ取付ブラケット）
５０    基部
５２、７２、８２    支持板（枠取付部材）
５４    脚板（基部）
７４    挟持板（基部、挟持部）
８４    制限板（制限部）
【図１】
0006661475.tif 000002
【図２】
0006661475.tif 000003
【図３】
0006661475.tif 000004
【図４】
0006661475.tif 000005